(57)【要約】【課題】  数が不特定のデータ信号を入力して監視側の画像表示手段に表示させて監視を行う遠隔監視システムにおいて、データ信号の数に対応して前記画像表示手段の画面を分割して表示させることにより画面をフルに活用して読み取り易くさせ、且つ、データ信号の表示漏れを生じないことを目的とする。【解決手段】 遠隔監視システム無線通信装置１は、データ信号を出力する複数のデータ送信装置２、２ａ、・・・及び監視装置３を備え、監視装置３のＣＰＵ９が複数のデータ送信装置２、２ａ、・・・のうちから入力した不特定データ信号の数に対応して画像表示手段１０の画面を分割する制御信号を出力する構成にした。選択図：図１【特許請求の範囲】
【請求項１】
遠隔監視の対象であって、各々に送信手段が備えられた複数のデータ送信装置と、画像表示手段が備えられ、前記複数のデータ送信装置からのデータ信号を受けるとそれぞれのデータをその画像表示手段に表示する監視装置が備えられ、
上記画像表示手段の画面が、複数のデータ送信装置からの入力信号の数に対応して分割されるように構成された遠隔監視システム。
【請求項２】
監視装置が、複数のデータ送信装置からの入力信号を受けると、その受けた入力信号の数を認識し、画像表示手段の画面がその認識した数に分割されるように制御信号を生成するＣＰＵが備えられてなる請求項１に記載の遠隔監視システム。
【請求項３】
画像表示手段の画面の分割される数を任意に設定可能な構成とした請求項１又は２に記載の遠隔監視システム。
【請求項４】
画像表示手段の画面の分割される最大の数を任意に設定可能とし、その設定した画面分割の数を超えて数のデータ通信手段からデータ信号を受けると、優先順位に従って分割された画像表示手段の画面に前記データ信号のデータを表示するように構成された請求項３に記載の遠隔監視システム。
【請求項５】
画像表示手段の画面の分割される最大の数を任意に設定可能とし、その設定した画面分割の数を超えて数のデータ通信手段からデータ信号を受けると、一定時間間隔で画像表示手段の画面が順送りされるように構成された請求項３に記載の遠隔監視システム。
【請求項６】
複数のデータ送信装置が受信手段を、監視装置が送信手段をそれぞれ備え、監視装置から複数のデータ送信装置に制御信号を送るように構成された請求項１に記載の遠隔監視システム。
【請求項７】
画像表示手段の画面が、接触式に信号入力し得るタッチパネルで構成された請求項６に記載の遠隔監視システム。
【発明の詳細な説明】
【技術分野】
【０００１】
この発明は、例えば複数台のエレベータのうち使用されているエレベータの内部を集中管理室で監視するといったように、それぞれに送信手段が備えられた複数のデータ送信装置からのデータ信号（画像信号も含む）を遠隔監視装置の側にある画像表示装置に映し出す遠隔監視システムに関する。
特に、複数のデータ送信装置からのデータ信号を表示する画像表示手段を有する遠隔監視装置を備えて構成され、その画像表示手段に前記複数のデータ送信装置からのデータ信号を見てより一層認識し易いための改良に関する。
【背景技術】
【０００２】
今日、記録装置及び記録媒体の性能向上によって、記録時間が数十時間、百数十時間である長時間記録が可能になっている。そうして、記録を行っている最中、つまり、録音や録画の際は操作者は操作を必要とせず、専ら監視と必要に応じて制御を行えばよいという集中管理が行われている。
【０００３】
従って、具体的には、送信手段を接続した複数の記録装置をそれぞれ任意の場所に配設し、且つ、それらの複数の記録装置からのデータ信号を監視側で受信して画像表示装置で表示させることで、遠隔監視を集中的に行うという方法が採られている。
複数のデータ信号を監視側で受信して画像表示装置で表示させて遠隔監視を集中的に行うというものに、下記の公報で開示された発明が知られている。
【特許文献１】特開２００１−３０９３６８号公報
【発明の開示】
【発明が解決しようとする課題】
【０００４】
複数のデータ信号を監視側で受信して画像表示装置で表示させて遠隔監視を集中的に行うシステムにおいては、監視ミスを防ぐために視覚的に遠隔監視の対象からのデータ信号を画面に表示させて監視を行うことが望ましい。
よって、斯かる趣旨から具体的には、遠隔監視の対象である複数の記録装置からのデータ信号を画像表示装置の限られた画面により大きく表示するのが望ましいということになる。
【０００５】
他方、複数の記録装置は予めの設定によって記録対象や環境等の状況変化に基づいて、つまり、記録対象や環境等の状況変化がトリガーにって記録装置の作動のＯＮ−ＯＦＦを切換えて記録が行なわれその作動状況が監視側に伝送されるようなシステムでは、複数の記録装置のうち監視対象となる台数は一定していない。
よって、画像表示装置の画面を予め記録装置の数だけに分割するとデータ信号の表示されない分割エリアが生じ、画面をフルに活用して表示できないという問題が生じる。
【０００６】
特開２００１−３０９３６８号公報に開示の発明には、画像表示装置の画面が分割されることが示されている。つまり、画像表示装置の画面を、データ信号の数に合わせて分割することが可能になっている。
しかしながら、当該発明では、画面の分割の数を操作者が使用目的に合わせて任意に設定する構成である。つまり、受信するデータ信号の数が最初から特定できていることが前提の発明であって、複数の記録装置のうち不特定の装置からのデータ信号を受けて、そのデー信号の数に対応して画像表示装置の画面が分割されることはない。
よって、当該発明では、予め分割して得られたが画面の数よりも受信のデータ信号の数が小さい場合には、分割画面の区画で表示使用されない部分が生じて画面を十分に生かしきれないという問題があった。又、設定した画像表示手段の画面の分割数よりもデータ信号の数が大きいと、表示されないデータ信号が出て来るという問題もあった。
【０００７】
この発明は、上記の事情に鑑みてなされたものであり、複数のデータ信号出力側から不特定の出力に対応して監視側の画像表示装置の画面が前記出力の数に分割され、結果的に画像表示手段の表示がフルに活用されて見て受け取り易く、表示されないデータ信号が出て来ることのない遠隔監視システムを提供するものである。
【課題を解決するための手段】
【０００８】
この発明は、監視側において、データ送信の側から受信したデータ信号の数に対応して画像表示手段の画面を分割するに構成した遠隔監視システムである。
【０００９】
その詳細な構成は、遠隔監視の対象であって、各々に送信手段が備えられた複数のデータ送信装置と、画像表示手段が備えられ、前記複数のデータ送信装置からのデータ信号を受けるとそれぞれのデータをその画像表示手段に表示する監視装置が備えられ、前記画像表示手段の画面が、複数のデータ送信装置からの入力信号の数に対応して分割されるように構成された遠隔監視システムである。
【００１０】
画像表示手段の画面の分割の具体的な手段として、監視装置が複数のデータ送信装置からの入力信号を受けると、その受けた入力信号の数を認識し、画像表示手段の画面がその認識した数に分割されるように制御信号を生成するＣＰＵが備えられてなるものが挙げられる。
【００１１】
又、画像表示手段の画面の分割され得る最大の数は、予め任意に設定可能な構成とした記載の遠隔監視システムが挙げられる。
【００１２】
更に、画像表示手段の画面の分割され得る最大の数を任意に設定可能として、その設定した画面分割の数を超えて数のデータ通信手段からデータ信号を受ける場合には、優先順位に従って分割された画像表示手段の画面に前記データ信号のデータを表示する構成が考えられる。
【００１３】
加えて、画像表示手段の画面の分割され得る最大の数を任意に設定可能として、その設定した画面分割の数を超えて数のデータ通信手段からデータ信号を受けると、一定時間間隔で画像表示手段のデータ信号画面が順送りされる構成が考えられる。
【００１４】
当該遠隔監視システムでは、複数のデータ送信装置に受信手段が、監視装置に送信手段がそれぞれ備えられて、監視装置から複数のデータ送信装置に制御信号を送る構成が考えられる。
【００１５】
又、複数のデータ送信装置に受信手段が、監視装置に送信手段がそれぞれ備えられ、監視装置から複数のデータ送信装置に制御信号を送る構成の当該遠隔監視システムでは、画像表示手段の画面が、接触式に信号入力し得るタッチパネルで構成されるものが考えられる。
【発明の効果】
【００１６】
この発明は、監視装置において画像表示装置の画面を複数のデータ送信装置から受信したデータ信号の数に対応して分割され、その分割された画面にそれぞれデータ信号が表示される構成としたことにより、画像表示装置の画面分割がデータ信号の受信によってタイムリーに自動的に行われ、よって、画像表示手段の画面が受信したデータ信号の数だけ過不足なく活用して表示され、データ信号を可視的に捉え易く、又、入力されたデータ信号のうちで表示されないデータ信号がないことにより、入力のデータ信号が確実に可視的に読み取ることのできる遠隔監視システムである。
【００１７】
又、画像表示手段の画面の分割され得る最大の数を設定可能とし、且つ、その設定した画面分割の数を超えて数のデータ通信手段からデータ信号を受ける場合に優先的に画面表示するデータ信号を特定する、又は、画面で表示することに優先順位を付けず画像送りで受信されたデータ信号を全て表示するという構成にしたことにより、所望のデータ信号が確実に画面に表示して視覚的に監視することが可能な遠隔監視システムである。
【発明を実施するための最良の形態】
【００１８】
この発明を、図面と共に以下に詳述する実施例に基づいて説明する。しかし、この実施例によって、この発明が限定されるものではない。
遠隔監視システム１は、複数のデータ送信装置２、２ａ、・・・と監視装置３を備えて構成されている。
【００１９】
データ送信装置２、２ａ、・・・は、それぞれ記録手段４、４ａ、・・・が備えられている。記録手段４、４ａ、・・・はそれぞれカメラ及び集音マイク（共に図示省略）が備えられ、前記カメラの撮影範囲で映像に変化が生じるとそのことがトリガーとなって映像と音声の記録を開始し、音声がなくなるとそのことがトリガーとなって記録を停止するように構成されている。
データ送信装置２、２ａ、・・・は更にそれぞれ送受信手段５、５ａ、・・・及びＣＰＵ６、６ａ、・・・が備えられ、記録手段４、４ａ、・・・が映像及び音声の記録を行っている際に記録の質等の記録条件、記録トータル時間、記録可能時間、バッテリーの残量等のデータを無線で送ることが可能になっている。
【００２０】
つまり、データ送信装置２、２ａ、・・・においてそれぞれに対応する記録手段４、４ａ、・・・が機能して記録を行うとすると、その際の記録の質等の記録条件、記録トータル時間、記録可能時間、バッテリーの残量等に係るデータをＣＰＵ６、６ａ、・・・が受けて所定の加工を行って送受信手段５、５ａ、・・・に送り、送受信手段５、５ａ、・・・は記録の質等の記録条件、記録トータル時間、記録可能時間、バッテリーの残量等のデータをデータ信号として出力する構成になっている。
【００２１】
尚、記録手段４、４ａ、・・・にはそれぞれ音センサーが付設されており、音を感知すると記録を開始する構成になっている。
又、送受信手段５、５ａ、・・・はそれぞれ警報音を出力するブザー（図示省略）が備えられ、送受信手段５、５ａ、・・・が特定の信号を受信すると警報音を出力する構成になっている。
【００２２】
他方、監視装置３は、操作・表示パネル７と、送受信手段８と、ＣＰＵ９と、画像表示手段１０が備えられ、複数のデータ送信装置２、２ａ、・・・からの記録の質等の記録条件、記録トータル時間、記録可能時間、バッテリーの残量等のデータを音声を画像表示手段１０に表示可能な構成になっている。
【００２３】
遠隔監視システム１は更に、監視装置３の画像表示手段１０の画面が、データ送信装置２、２ａ、・・・からデータ信号を受信すると、その受信したデータ信号の数に対応して分割されるように構成されている。
つまり、監視装置３において、送受信手段８が複数のデータ送信装置２、２ａ、・・・からのうち不特定のデータ信号を受けると、そのデータ信号をＣＰＵ９に送る。
ここで、ＣＰＵ９は送受信手段８が受信しているデータ信号の数を認識し、つまり、ＣＰＵ９に届いたデータ信号がトリガーとなって、その認識した数に対応して画像表示手段１０の画面を分割させるための制御信号を画像表示手段１０に出力する。
【００２４】
操作・表示パネル７は、監視装置３の機能を操作し、且つ、表示パネル（図示省略）によって操作（設定）した内容を確認できる構成になっている。
監視装置３では、画像表示手段１０の画面の分割され得る最大の数を、例えば４分割画面、６分割画面といったように、予め任意に設定可能な構成となっている。
つまり、操作者が操作・表示パネル７に画像表示手段１０の画面の分割され得る最大の数を例えば６分割画面として設定操作すると、操作・表示パネル７は上記表示パネルに画像表示手段１０の画面の分割され得る最大の数が６であることを表示し、且つ、ＣＰＵ９に画像表示手段１０の画面の分割され得る最大の数が６に設定する旨の制御信号を送る。
【００２５】
ここで、ＣＰＵ９は、操作・表示パネル７から画像表示手段１０の画面の分割され得る最大の数についての制御信号を受け取ると、そのメモリ（図示省略）に記憶する。
尚、遠隔監視システム１では、データ送信装置２、２ａ、・・・からのデータ信号の数が操作・表示パネル７で設定操作した画像表示手段１０の画面の分割され得る最大の数よりも大きい場合に、監視装置３が受信したデータ信号に優劣がある場合にはその趣旨に基づき、予めデータ信号の送信元であるデータ送信装置２、２ａ、・・・の中から優先順位を操作・表示パネル７で設定操作して上記メモリに記憶させておき、その優先順位に従ってに従って画像表示手段１０の分割された画面に分割された画像表示手段１０の画面に前記データ信号のデータを表示する構成を設定可能になっている。
【００２６】
つまり、遠隔監視システム１では、画像表示手段１０でのデータ信号の読み取り易さから、画像表示手段１０の画面の分割され得る最大の数を設定し（例えば６分割）、他方ではデータ送信装置２、２ａ、・・・から受信するデータ信号の数がその設定した分割の最大の数より大きく、しかも、送られて来るであろうデータ信号の中に優先的に画像表示手段１０の画面に表示させたい特定のデータ信号がある場合には、監視者は斯かる趣旨に基づき、まず画像表示手段１０の画面の分割され得る最大の数を設定し、次にデータ送信装置２、２ａ、・・・からのデータ信号の内優先的に表示すべきデータ信号に係るデータ送信装置２、２ａ、・・・から対応するデータ送信装置を選択して操作・表示パネル７で設定する。
【００２７】
ここで、ＣＰＵ９は操作・表示パネル７から画像表示装置１０の画面の最大分割の数とデータ信号で表示すべきものに対応するデータ送信装置が上記メモリに記憶される。
斯かる構成により、データ送信装置２、２ａ、・・・からのデータ信号のうち絶対的にデータ信号を画像表示手段１０に表示して監視すべきデータ送信装置については、画面が分割された画像表示手段１０であっても確実にデータ信号を監視が可能であり、又、データ送信装置２、２ａ、・・・からのデータ信号の全てを一つの画像表示手段１０で表示する構成ではデータ信号が多過ぎる場合には特定のデータ信号の表示部分は小さく見え難くなり、又、その特定のデータ信号の表示を捜すのに手間取り、本来データ信号を認識し易く視覚で捉えようという利便さが得られないことに対して有効である。
【００２８】
他方、遠隔監視システム１では、データ送信装置２、２ａ、・・・からのデータ信号の数が操作・表示パネル７で設定操作した画像表示手段１０の画面の分割され得る最大の数よりも大きく、且つ、監視装置３が受信したデータ信号に優劣がなく一通り全てのデータ信号を表示させて視覚的に監視したいという場合には、一定時間間隔で画像表示手段１０のデータ信号の画面が順送りされる構成も選択可能となっている。
【００２９】
つまり、遠隔監視システム１では、画像表示手段１０でのデータ信号の読み取り易さから、画像表示手段１０の画面の分割され得る最大の数を設定し、他方ではその設定した分割の最大の数よりも多くのデータ信号を受信する場合も生じるが、データ送信装置２、２ａ、・・・からのデータ信号は優劣がなく一通り視覚的に監視しておきたい場合には、監視者は斯かる趣旨に基づき、まず画像表示手段１０の画面の分割され得る最大の数を設定し、次にデータ送信装置２、２ａ、・・・からのデータ信号の数がそのその設定した数を超えた場合には表示時間（例えば１５秒間隔で）画像表示手段１０上でデータ信号の画面を送るように操作・表示パネル７で設定する。
【００３０】
ここで、ＣＰＵ９は操作・表示パネル７から画像表示装置１０の画面の最大分割の数とデータ信号で表示すべきものに対応するデータ送信装置が上記メモリに記憶される。
斯かる構成により、データ送信装置２、２ａ、・・・からのデータ信号は全て画像表示手段１０に表示されて監視可能となり、しかも、画像表示手段１０の画面の分割数の最大が設定されているから掻くデータ信号が小さな分割画面に映されて視覚し難いといったことは生じない。
【００３１】
加えて、遠隔監視システム１では、監視装置３の画像表示手段１０の画面はタッチパネルになっていて、複数のデータ送信装置２、２ａ、・・・の内、表示されているデータ信号に対応するデータ送信装置に制御信号を送ることが可能な構成になっている。
つまり、複数のデータ送信装置２、２ａ、・・・からのデータ信号（１つ又は複数）を画像表示手段１０に映している際、ＣＰＵ９は、その画像表示手段１０に映されているデータ信号に対応するデータ送信装置をデータ送信装置２、２ａ、・・・の中から認識できており、且つ、画像表示手段１０からのタッチ信号を受けるとそのタッチ信号に対応した信号を送受信手段８から出力させるようにドライブする。
ここで、監視装置３から、上記のデータ送信装置２、２ａ、・・・の中から対応するものに制御信号が送られることになる。
【００３２】
遠隔監視システム１は、上述したように構成されている。以下において、その使用・作動を説明する。
遠隔監視システム１を、野生動物の生態観察を行う場合の使用について説明する。
【００３３】
操作者（監視者）は、生態観察したい野生動物が集まりそうな場所を見付けて、それぞれの記録手段４、４ａ、・・・が記録対象の野生動物の映像及び音声を記録できる場所に複数のデータ送信装置２、２ａ、・・・を設置する。
続いて、設置したデータ送信装置２、２ａ、・・・及び監視装置３を共働させて、遠隔監視システム１が問題なく作動するかをテストする。
【００３４】
データ送信装置２、２ａ、・・・のセッティングと作動テストを終えると、監視者はデータ送信装置２、２ａ、・・・から遠隔の場所で監視装置３を作動させる。
つまり、操作・表示パネル７でメイン電源を入れ、次に、画像表示手段１０の画面の分割の最大の数を６と設定する。
更に、複数のデータ送信装置２、２ａ、・・・のうち、データ送信装置２の設置した場所に今回の生態観察で最も大きな目的の野生動物がやって来る可能性が高いことから、つまり、データ送信装置２からのデータ信号を優先的に監視できるように、操作・表示パネル７でセットする。
【００３５】
続いて、他のデータ送信装置であるデータ送信装置２ａ、・・・の設置した場所にやって来るであろう野生動物は生態観察の対象として全て等しい程度であることから、データ送信装置２ａ、・・・からのデータ信号は画像表示手段１０の画面に表示させるには全て等しい程度であるということから、データ信号の数が画像表示手段１０の画面の分割の設定最大の数を超えた場合には２０秒毎に画面送りが行われるように、操作・表示パネル７でセットする。
【００３６】
ここで、複数の記録手段４ａ、・・・のうち、４台が野生動物の音声を感知して映像と音声の記録を開始すると、それぞれに対応するＣＰＵが機能している記録装置から記録の質等の記録条件、記録トータル時間、記録可能時間、バッテリーの残量等に係るデータを受けて所定の加工を行い、それぞれに対応する送受信手段に送る。
送受信手段は、ＣＰＵからデータを受けると、そのデータをデータ信号として監視装置３に送る。
【００３７】
ここで、監視装置３は、データ送信装置２ａ、・・・のうち、４台からデータ信号を送受信手段８が受け取り、その旨をＣＰＵ９に送る。
ＣＰＵ９は、送受信手段８が受信したデータ信号の数が４であることを認識すると、画像表示手段１０を４つの画面に分割する制御信号を画像表示手段１０に送り、続いて、その分割した画面に対応させて上記４つのデータ信号の内容を表示するように制御する。
ここで、画像表示手段１０では、画面が４つに分割され、且つ、分割された画面にそれぞれ上記複数の記録手段４ａ、・・・のうちの４台が野生動物の音声を感知して映像と音声の記録に係る質等の記録条件、記録トータル時間、記録可能時間、バッテリーの残量等に係るデータが表示される。
【００３８】
監視者は、監視装置３の画像表示手段１０に表示された上記４つのデータ信号に係るデータを見て、そのデータの内容に問題がなければ、そのまま監視を続ける。
他方、監視者が、記録可能時間が残り少なくしかも記録をその記録可能時間よりも長く続けたいと判断すると、画像表示手段１０の対応する分割画面にタッチして、記録に係る質を落として記録可能時間を延ばすための制御信号を入力する。
【００３９】
画像表示手段１０は、対応する分割画面からタッチによって制御信号が入力されると、その旨をＣＰＵ９に送る。
ＣＰＵ９は、画像表示手段１０からの制御信号を受けると、データ送信装置２ａ、・・・のうち制御対象となるデータ送信装置と制御内容を特定し、送受信手段８に送る。
送受信手段８は、ＣＰＵ９からの信号を受けると、データ送信装置２ａ、・・・のうち制御対象となるデータ送信装置にのみ制御内容を信号で送る。
【００４０】
ここで、データ送信装置２ａ、・・・のうち、監視者によって画像表示手段１０で制御対象とされたデータ送信装置は、監視装置３からの制御のための信号を受信し、その制御内容である記録に係る質を落として記録可能時間を延ばすモードに記録手段の機能が切換えられる。
よって、記録手段の機能が記録に係る質を落として記録可能時間を延ばすモードに切換わると、その旨がデータ信号となって送受信手段から送られ、結果的に、モードが切換わった後のデータ信号の内容が監視装置３の画像表示手段１０で確認されることになる。
【００４１】
尚、データ信号を出力しているデータ送信装置２ａ、・・・のうちの４台において、観察対象の野生動物がその対応するデータ送信装置に気付いて興味を持ちいたずらをしていることが認められると、監視者は画像表示手段１０の対応する分割画面にタッチして、上記ブザーを出力するための制御信号を入力する。
画像表示手段１０からのブザー出力の制御信号は、ＣＰＵ９を介して送受信手段８に送られて、制御対象となるデータ送信装置にのみ制御信号が送られる。
ここで、データ送信装置２ａ、・・・のうち該当するデータ送信装置の対応する送受信手段はブザー出力の制御信号を受けて、警報音を出力する。
【００４２】
遠隔監視システム１を機能させている間に、記録手段４と、複数の記録手段４ａ、・・・のうち、前記４台の記録手段以外の２台の記録手段が野生動物の音声を感知して映像と音声の記録を開始する。
これらの記録手段の作動の開始によって、それぞれに対応するデータ送信装置２と、２台のデータ送信装置２から記録の質等の記録条件、記録トータル時間、記録可能時間、バッテリーの残量等に係るデータ信号を監視装置３に送る。
ここで、監視装置３では、送受信手段８が新たに３つのデータ信号を受けることになるが、その旨はＣＰＵ９に送られる。
【００４３】
ここで、ＣＰＵ９は、現在受信している４つのデータ信号に加えて新たに３つのデータ信号、つまり合計７つのデータ信号を受信していることを認識し、又、画像表示手段１０の画面の分割の最大の数が６であって且つデータ送信装置２からのデータ信号を優先的に表示するように設定されていることから、画像表示手段１０に画面を６つに分割するための制御信号を送り、続いて、その分割した６画面の特定の一つにデータ送信装置２からのデータ信号を表示し、残りの５画面に残り６つのデータ信号の内容を２０秒毎に順送りで表示するように制御する。
【００４４】
画像表示手段１０では、ＣＰＵ９からの制御信号を受けて画面が６つに分割されて、且つ、その分割で得た第１の画面にデータ送信装置２からのデータ信号つまり記録手段４に係る記録の質等の記録条件、記録トータル時間、記録可能時間、バッテリーの残量等に係るデータが、第２から第６の画面にデータ送信装置２ａ、・・・のうちで記録手段が機能している６つからのデータ信号つまりそれらに対応する記録手段に係る記録の質等の記録条件、記録トータル時間、記録可能時間、バッテリーの残量等に係るデータがそれぞれ表示される。
【００４５】
遠隔監視システム１の使用を続けていくと、記録手段４、４ａ、・・・がそれぞれの観察対象の野生動物が退去したりその場で睡眠に入ると、野生動物からの音声が得られなくなって記録手段４、４ａ、・・・のうち対応する記録手段は機能を停止する。
ここで、ＣＰＵ６、６ａ、・・・は、対応する記録手段４、４ａ、・・・から機能が停止した旨を受けると、結果的に、監視装置３にデータ信号の出力を停止する。
【００４６】
監視装置３では、データ信号の入力の数が減少すると、ＣＰＵ９はその時に受信しているデータ信号の数に対応させて、画像表示手段１０の画面の分割数を減少させるように機能する。
【００４７】
遠隔監視システム１は上述したように機能することにより、監視対象のデータをタイムー且つ自動的にその数に合致させて画像表示手段１０で監視できるので、データの読み取りが容易に行うことが可能になっている。
又、遠隔監視システム１では、データ送信装置２、２ａ、・・・から送られて来るデータ信号は画像表示手段１０に全て表示されるから、記録手段４、４ａ、・・・の機能に係る情報を監視できないという事態は生じない。
他方、データ送信装置２、２ａ、・・・では、対応する記録手段４、４ａ、・・・がそれぞれ機能して、所定の記録を行っている。  
【００４８】
遠隔監視システム１は記録手段４、４ａ、・・・を備えてそれらの機能に係るデータを監視する構成であるが、監視するデータは測定量、画像、音声等であってもよい。
又、遠隔監視システム１は、複数台の自動エレベーターの遠隔監視、特定地域の多地点防犯監視等に、適応することが可能である。
【００４９】
遠隔監視システム１において送受信手段５、５ａ、・・・及び８は、有線式であっても無線式であってもよい。
【００５０】
遠隔監視システム１において、監視装置３からの制御内容は記録手段４、４ａ、・・・のモードの切換え、ブザーの出力であるが、データ送信装置２、２ａ、・・・の機能、用途唐に応じて適宜設定するのが望ましい。
【図面の簡単な説明】
【００５１】
【図１】この発明の実施の形態例の遠隔監視システムの全体構成及び機能を説明するブロック図である。
【符号の説明】
【００５２】
１                  ：  遠隔監視システム
２，２ａ，・・・     ：  データ送信装置
３                  ：  監視装置
４，４ａ，・・・     ：  記録手段
５，５ａ，・・・     ：  送受信手段
６，６ａ，・・・     ：  ＣＰＵ
７                  ：  操作・表示パネル
８                  ：  送受信手段
９                  ：  ＣＰＵ
１０                ：  画像表示手段
【図１】
2005269397.tif 000002
【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
遠隔監視の対象であって、各々に送信手段が備えられた複数のデータ送信装置と、画像表示手段が備えられ、前記複数のデータ送信装置からのデータ信号を受けるとそれぞれのデータをその画像表示手段に表示する監視装置が備えられ、
上記画像表示手段の画面が、複数のデータ送信装置からの入力信号の数に対応して分割されるように構成された遠隔監視システム。
【請求項２】
監視装置が、複数のデータ送信装置からの入力信号を受けると、その受けた入力信号の数を認識し、画像表示手段の画面がその認識した数に分割されるように制御信号を生成するＣＰＵが備えられてなる請求項１に記載の遠隔監視システム。
【請求項３】
画像表示手段の画面の分割される数を任意に設定可能な構成とした請求項１又は２に記載の遠隔監視システム。
【請求項４】
画像表示手段の画面の分割される最大の数を任意に設定可能とし、その設定した画面分割の数を超えた数のデータ通信手段からデータ信号を受けると、優先順位に従って分割された画像表示手段の画面に前記データ信号のデータを表示するように構成された請求項３に記載の遠隔監視システム。
【請求項５】
画像表示手段の画面の分割される最大の数を任意に設定可能とし、その設定した画面分割の数を超えた数のデータ通信手段からデータ信号を受けると、一定時間間隔で画像表示手段の画面が順送りされるように構成された請求項３に記載の遠隔監視システム。
【請求項６】
複数のデータ送信装置が受信手段を、監視装置が送信手段をそれぞれ備え、監視装置から複数のデータ送信装置に制御信号を送るように構成された請求項１に記載の遠隔監視システム。
【請求項７】
画像表示手段の画面が、接触式に信号入力し得るタッチパネルで構成された請求項６に記載の遠隔監視システム。
【手続補正２】
【補正対象書類名】明細書
【補正対象項目名】０００５
【補正方法】変更
【補正の内容】
【０００５】
他方、複数の記録装置は予めの設定によって記録対象や環境等の状況変化に基づいて、つまり、記録対象や環境等の状況変化がトリガーとなって記録装置の作動のＯＮ−ＯＦＦを切換えて記録が行なわれその作動状況が監視側に伝送されるようなシステムでは、複数の記録装置のうち監視対象となる台数は一定していない。
よって、画像表示装置の画面を予め記録装置の数だけに分割するとデータ信号の表示されない分割エリアが生じ、画面をフルに活用して表示できないという問題が生じる。
【手続補正３】
【補正対象書類名】明細書
【補正対象項目名】０００８
【補正方法】変更
【補正の内容】
【０００８】
この発明は、監視側において、データ送信の側から受信したデータ信号の数に対応して画像表示手段の画面を分割するように構成した遠隔監視システムである。
【手続補正４】
【補正対象書類名】明細書
【補正対象項目名】００１２
【補正方法】変更
【補正の内容】
【００１２】
更に、画像表示手段の画面の分割され得る最大の数を任意に設定可能として、その設定した画面分割の数を超えた数のデータ通信手段からデータ信号を受ける場合には、優先順位に従って分割された画像表示手段の画面に前記データ信号のデータを表示する構成が考えられる。
【手続補正５】
【補正対象書類名】明細書
【補正対象項目名】００１３
【補正方法】変更
【補正の内容】
【００１３】
加えて、画像表示手段の画面の分割され得る最大の数を任意に設定可能として、その設定した画面分割の数を超えた数のデータ通信手段からデータ信号を受けると、一定時間間隔で画像表示手段のデータ信号画面が順送りされる構成が考えられる。
【手続補正６】
【補正対象書類名】明細書
【補正対象項目名】００２５
【補正方法】変更
【補正の内容】
【００２５】
ここで、ＣＰＵ９は、操作・表示パネル７から画像表示手段１０の画面の分割され得る最大の数についての制御信号を受け取ると、そのメモリ（図示省略）に記憶する。
尚、遠隔監視システム１では、データ送信装置２、２ａ、・・・からのデータ信号の数が操作・表示パネル７で設定操作した画像表示手段１０の画面の分割され得る最大の数よりも大きい場合に、監視装置３が受信したデータ信号に優劣がある場合にはその趣旨に基づき、予めデータ信号の送信元であるデータ送信装置２、２ａ、・・・の中から優先順位を操作・表示パネル７で設定操作して上記メモリに記憶させておき、その優先順位に従って画像表示手段１０の分割された画面に分割された画像表示手段１０の画面に前記データ信号のデータを表示する構成を設定可能になっている。